【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
登録されている登録生体情報を用いて認証する生体認証システムであって、
生体に光を照射する光源部と、
前記光源部から照射され前記生体を透過した光による血管画像を撮影する撮像部と、
前記撮像部によって撮影された血管画像から認証用生体情報を生成する制御部と、
前記血管画像の撮影タイミングで取得した、前記生体の位置及び姿勢の情報を含む補助情報に基づいて、前記認証用生体情報に対応するカテゴリを選択するカテゴリ選択部と、
前記選択されたカテゴリの登録生体情報と前記認証用生体情報とを比較して、認証処理を実行する認証部と、を備えることを特徴とする生体認証システム。
【請求項２】
請求項１に記載の生体認証システムであって、
前記認証用生体情報と、前記認証用生体情報に対応するカテゴリとを関連付けて記録する記録部を備えることを特徴とする生体認証システム。
【請求項３】
請求項１に記載の生体認証システムであって、
前記認証用生体情報は、前記血管画像から抽出された血管の特徴量であり、
前記補助情報は、前記血管画像の鮮明度の情報を含み、
前記カテゴリ選択部は、前記生体の位置及び姿勢の情報と前記血管画像の鮮明度の情報とに基づいて、前記認証用生体情報に対応するカテゴリを選択することを特徴とする生体認証システム。
【請求項４】
請求項１に記載の生体認証システムであって、
前記認証部による比較の結果、前記登録生体情報と前記認証用生体情報との相違度が所定の値より大きい場合、前記取得した補助情報に対応するカテゴリを作成するカテゴリ作成部を備えることを特徴とする生体認証システム。
【請求項５】
登録されている登録生体情報を用いて認証する生体認証システムであって、
生体の上方に設けられ、前記生体に光を照射する光源部と、
前記生体の下方に設けられ、前記光源部から照射され前記生体を透過した光による血管画像を撮影する撮像部と、
前記撮像部によって撮影された血管画像から認証用生体情報を生成する制御部と、
前記血管画像の撮影タイミングで取得した、前記生体の位置及び姿勢の情報を含む補助情報に基づいて、前記認証用生体情報に対応するカテゴリを選択するカテゴリ選択部と、
前記選択されたカテゴリの登録生体情報と前記認証用生体情報とを比較して、認証処理を実行する認証部と、を備えることを特徴とする生体認証システム。
【請求項６】
請求項５に記載の生体認証システムであって、
前記認証用生体情報と、前記認証用生体情報に対応するカテゴリとを関連付けて記録する記録部を備えることを特徴とする生体認証システム。
【請求項７】
請求項５に記載の生体認証システムであって、
前記認証用生体情報は、前記血管画像から抽出された血管の特徴量であり、
前記補助情報は、前記血管画像の鮮明度の情報を含み、
前記カテゴリ選択部は、前記生体の位置及び姿勢の情報と前記血管画像の鮮明度の情報とに基づいて、前記認証用生体情報が属するカテゴリを選択することを特徴とする生体認証システム。
【請求項８】
請求項５に記載の生体認証システムであって、
前記認証部による比較の結果、前記登録生体情報と前記認証用生体情報との相違度が所定の値より大きい場合、前記取得した補助情報に対応するカテゴリを作成するカテゴリ作成部を備えることを特徴とする生体認証システム。
【請求項９】
登録されている登録生体情報を用いて認証する生体認証システムであって、
生体で反射した光による画像を撮影する撮像部と、
前記撮像部によって撮影された画像から認証用生体情報を生成する制御部と、
前記撮影された画像中の前記生体以外の領域から抽出された背景情報を含む補助情報に基づいて、前記認証用生体情報に対応するカテゴリを選択するカテゴリ選択部と、
前記選択されたカテゴリの登録生体情報と前記認証用生体情報とを比較して、認証処理を実行する認証部と、を備えることを特徴とする生体認証システム。
【請求項１０】
請求項９に記載の生体認証システムであって、
前記認証用生体情報と、前記認証用生体情報に対応するカテゴリとを関連付けて記録する記録部を備えることを特徴とする生体認証システム。
【請求項１１】
請求項９に記載の生体認証システムであって、
前記認証用生体情報は、前記撮影された画像から抽出された血管の特徴量であり、
前記補助情報は、前記画像における血管の鮮明度の情報を含み、
前記カテゴリ選択部は、前記生体の位置及び姿勢の情報と前記血管の鮮明度の情報とに基づいて、前記認証用生体情報が属するカテゴリを選択することを特徴とする生体認証システム。
【請求項１２】
請求項９に記載の生体認証システムであって、
前記認証部による比較の結果、前記登録生体情報と前記認証用生体情報との相違度が所定の値より大きい場合、前記補助情報に対応するカテゴリを作成するカテゴリ作成部を備えることを特徴とする生体認証システム。
【手続補正２】
【補正対象書類名】明細書
【補正対象項目名】００１７
【補正方法】変更
【補正の内容】
【００１７】
血管画像撮影装置２の筐体表面の上部には、開口部９が設けられ、開口部９の内側には光源１０が配置される。本実施例の血管画像撮影装置２における光源１０と撮像部４と指１（生体提示領域１Ａ）との位置関係は、光源１０と開口部３（撮像部４）との間に生体提示領域１Ａが設けられる他、光源１０からの光が照射された生体１が開口部３を経由して撮像部４が撮影できる位置であればよい。例えば、光源１０を生体１の側方や下方に設け、光源１０から開口部３を経由して照射され、生体１内で散乱した光を開口部３を経由して撮像部４が撮影する形態でもよい。
【手続補正３】
【補正対象書類名】明細書
【補正対象項目名】００５０
【補正方法】変更
【補正の内容】
【００５０】
ステップ１０８で、制御部６が、正規化処理後の指血管画像から血管の特徴量を抽出する。抽出された特徴量はサーバ５０２に送信される。
【手続補正４】
【補正対象書類名】明細書
【補正対象項目名】００５４
【補正方法】変更
【補正の内容】
【００５４】
なお、後述する距離センサや距離画像カメラなどの距離検知手段を血管画像撮影装置２に設けた場合、ステップ１０３で、近赤外画像撮影タイミングで、距離検知手段が距離情報を取得する。そして、ステップ１０４では、制御部６が、取得された距離情報を利用して指の位置や姿勢を検知する。このように、距離情報を用いると、指の位置や姿勢を高精度に検知できる。
【手続補正５】
【補正対象書類名】明細書
【補正対象項目名】００５９
【補正方法】変更
【補正の内容】
【００５９】
ステップ２０３では、ステップ２０２で認証失敗と判定された場合はステップ２０２に戻る。一方、認証成功と判定された場合、ステップ２０４で、認証部５１６が、認証成功時に取得した血管画像や、指が提示された位置や姿勢に基づいて、認証成功時に撮影した血管画像が登録可能な品質かを判定する。例えば、血管の鮮明さを表す血管コントラスト値を血管画像から計算し、コントラスト値が所定の閾値以上であれば、血管が鮮明に撮影されている登録可能な品質であると判定してもよい。また、撮影された血管画像中の血管の量が所定の閾値以上であれば登録可能な品質であると判定してもよい。また、血管画像の輝度（明るさ）に基づいて、明るすぎずかつ暗すぎない血管画像を登録可能な品質であると判定してもよい。また、ステップ２０２における認証処理の結果（本人のデータとの類似度や他人のデータとの類似度）によって、他人受入率が低くかつ本人拒否率が低い血管画像を登録可能な品質であると判定してもよい。さらに、前述した複数の条件を組み合わせて判定してもよい。
【手続補正６】
【補正対象書類名】明細書
【補正対象項目名】００６３
【補正方法】変更
【補正の内容】
【００６３】
ステップ２０８で、ステップ２０７の判定結果が「更新しない」であればステップ２０２に戻る。一方、ステップ２０７の判定結果が「更新する」であれば、ステップ２０９で、カテゴリ作成部５１５が、認証成功時に撮影した血管画像で登録データを更新し、ステップ２１１で登録処理を終了する。
【手続補正７】
【補正対象書類名】明細書
【補正対象項目名】００６５
【補正方法】変更
【補正の内容】
【００６５】
生体情報データベース５１８が、認証用生体情報と、認証用生体情報に対応するカテゴリとを関連付けて記録するので、カテゴリを選択しやすく、高速で生体情報を照合できる。
【手続補正８】
【補正対象書類名】明細書
【補正対象項目名】００７９
【補正方法】変更
【補正の内容】
【００７９】
ステップ３０８で、制御部６が、正規化処理後の指血管画像から血管の特徴量を抽出する。抽出された特徴量はサーバ５０２に送信される。
【手続補正９】
【補正対象書類名】明細書
【補正対象項目名】００９３
【補正方法】変更
【補正の内容】
【００９３】
ステップ４０１で、利用者が開口部３に指を提示すると、ステップ４０２で、サーバ５０２の認証部５１６が認証処理（例えば、図６や図１０に示す認証処理）を実行する。
【手続補正１０】
【補正対象書類名】明細書
【補正対象項目名】００９９
【補正方法】変更
【補正の内容】
【００９９】
ステップ４１０では、ステップ４０９でカテゴリが生成されないと判定されればステップ４０２に戻る。一方、カテゴリが生成されると判定されれば、ステップ４１１で、カテゴリ作成部５１５が、記憶装置１１に保存されている、新たなカテゴリに登録される候補である複数の血管画像の中で、新しく生成されたカテゴリの代表となる画像を追加の登録データとして選出する。例えば、登録候補の血管画像のうち品質スコアが良かった画像を代表画像に選出してもよい。また、複数の登録候補の血管画像の類似度を算出し、他の候補画像との類似度が高い（類似範囲の中心にある）画像を代表画像に選出してもよい。
【手続補正１１】
【補正対象書類名】明細書
【補正対象項目名】０１００
【補正方法】変更
【補正の内容】
【０１００】
ステップ４１２では、カテゴリ作成部５１５が、ステップ４１１で選出された血管画像を、ステップ４０９で生成した新たなカテゴリに登録し、ステップ４１３で、登録処理を終了する。
【手続補正１２】
【補正対象書類名】明細書
【補正対象項目名】０１２５
【補正方法】変更
【補正の内容】
【０１２５】
なお、実施例５の生体認証システムでは、多様な光度や波長の光で高精度な認証ができるので、生体認証専用の光源を設けなくてもよい。
【手続補正１３】
【補正対象書類名】図面
【補正対象項目名】図４
【補正方法】変更
【補正の内容】
【図４】
2019117579.tif 000001